(57)【特許請求の範囲】
【請求項１】
ロール状に巻回された記録紙の巻芯の側面に嵌合挿入され、中央部に回転自在な軸受けを設けた第１のフランジと、
前記巻心の他の側面に嵌合挿入され、中央部に回転自在な軸受けを設けた第２のフランジと、
前記第１のフランジを固定保持する第１の固定部材と、
前記第２のフランジを固定保持する第２の固定部材と、
前記第１のフランジと第２のフランジとを支持し、かつ前記第１の固定部材と第２の固定部材とを係止させる溝部を設けた軸部と、
前記軸部の両端に引っ係るＵ溝部と、このＵ溝部の対向側に設けられた取手部と、この取手部と前記Ｕ溝部との中間部分の一端に弾性力を有した第１の係合手段とを設けた取手手段と、
前記軸部の両端を案内して支持する溝状のガイド部と、前記取手手段の第１の係合手段に係合し、所定の位置に前記取手手段を固定保持する第２の係合手段からなる保持手段とで構成したことを特徴とする記録紙保持装置。
【請求項２】
第１のフランジおよび第２のフランジの中央部に設けられた回転自在な軸受はころがり軸受であることを特徴とする請求項１に記載の記録紙保持装置。
【請求項３】
第１の固定部材は、軸部に第１のフランジを固定保持する締結部材を備えたことを特徴とする請求項１または２のいずれかに記載の記録紙保持装置。
【請求項４】
第２の固定部材は、軸部の溝部に係止する爪部を設けた弾性を有する第１部材と、この第１部材に係合し、相対的に移動可能な楔部を有する第２部材と、この第２部材と前記第１部材とを付勢する付勢部材とで構成されたことを特徴とする請求項１乃至３のいずれかに記載の記録紙保持装置。
【請求項５】
取手手段の第１の係合手段と保持手段の第２の係合手段は、いずれか一方が半球状の凸部であり、他方は半球状の凹部で構成されたことを特徴とする請求項１乃至４のいずれかに記載の記録紙保持装置。
【請求項６】
請求項１乃至５のいずれかに記載の記録紙保持装置を用いたことを特徴とするプリンタ装置。
【発明の詳細な説明】
【０００１】
【発明の属する技術分野】
この発明は、ロール状に巻回された記録紙の保持装置およびこれを用いたプリンタ装置の構造に関するものである。
【０００２】
【従来の技術】
図１０は従来のロール状の記録紙であるロール紙の用紙保持部材の構造を示す斜視図であり、図１１はこの用紙保持部材をロール紙に装着した状態を示す斜視図である。
また、図１２は、このような従来のロール状の記録紙（ロール紙）の用紙保持部材を用いたプリンタ装置の概略構成を示す斜視図である。
図１０および図１１において、２は巻芯５０に巻かれたロール状の印画媒体（即ち、記録紙）であるロール紙、５１は巻芯５０の一端に挿入され、ロール紙２をプリンタ装置本体に設けられた記録紙保持装置に装着した際に、記録紙保持装置側の受け部へ係合し、ロール紙２を保持する第１のフランジ、５２は同様に巻芯５０の他端に挿入され、ロール紙２をプリンタ装置の用紙装着部に装着した際に、装着部側の受け部へ係合し、第１のフランジと共にロール紙２を保持する第２のフランジである。
また、図１２において、５３はプリンタ装置、５４はプリンタ装置５３内に設けられたロール紙２の収納部、５５は第１のフランジ５１の受け部である。
尚、図には示さないが第２のフランジ５２の受け部５６も第１のフランジ５１の受け部５５と対で設けられている。
【０００３】
このような従来のロール紙の用紙保持部材を用いたプリンタ用の記録紙保持装置においては、ロール紙２をプリンタ装置５３の収納部５４へ装着後、紙ロールより印画紙である用紙を引き出し、所定のペーパーパスを形成後、インクシート（図示せず）を装着する。
次に、インクシートを用紙に密着させ、印画ヘッドへ通電してインクシート上のインクを加熱することにより用紙へインクを転写し、印写された画像を得るものである。
この時、ロール紙２の巻芯５０に装着されている第１のフランジ５１および第２のフランジ５２は、それぞれプリンタ５３側の受け部５５および５６により回転可能に保持され、用紙排出動作時に新たな用紙が引き出され、給紙動作も同時に行うものである。
【０００４】
【発明が解決しようとする課題】
上記のような従来の用紙保持部材および記録紙保持装置を用いたプリンタ装置においては、図１２に示すごとくロール紙２に取り付けられた第１のフランジ５１および第２のフランジ５２を手で持ち、この第１のフランジ５１および第２のフランジ５２をプリンタ装置５３の内部の受け部５５に係合させるため、ロール紙２の交換時に手がプリンタ装置内部の部品と当たりやすく、ロール紙２を容易に装着し難いという問題点があった。
また、ロール紙２の収納部５４に設けられた第１のフランジ５１および第２のフランジ５２の受け部５５および５６は略Ｕ字形状の板状部材であり、単に第１および第２のフランジを受けているだけであるので、ロール紙２の位置が上下左右方向に移動しやすく、印画位置ズレ等が生じやすいという問題点があった。
さらに、従来の記録紙保持装置では第１のフランジ５１と受け部５５および第２のフランジ５２と受け部５６が相対的に摺動回転するため摩擦負荷が大きく、ロール紙２より用紙を引き出す際、用紙に過度の張力が生じて印画品質が悪くなる等の問題があった。
また、第１のフランジ５１および第２のフランジ５２は巻芯５０の端部に単に挿入されているだけ確実に固定されていないので、第１のフランジ５１および第２のフランジ５２は巻芯５０への挿入後にプリンタ装置へ装着する際、誤って抜けてしまうという問題点があった。
【０００５】
この発明は上述のような課題を解決するためになされたもので、第１の目的は、ロール紙の交換が容易で速やかに行える記録紙保持装置あるいはプリンタ装置を得るものである。
また、第２の目的は、ロール紙をプリンタに装着した際、ロール紙の位置を常に一定の位置に位置決めできる記録紙保持装置あるいはプリンタ装置を得るものである。
また、第３の目的は、ロール紙より用紙を引き出す際、摩擦負荷が小さく用紙に過度の張力が生じるのを防ぐことのできる記録紙保持装置あるいはプリンタ装置を得るものである。
さらに、第４の目的は、第１のフランジおよび第２のフランジがロール紙の巻芯より容易に抜けてしまうことを防ぐことのできる記録紙保持装置あるいはプリンタ装置を得るものである。
【０００６】
【課題を解決するための手段】
この発明に係わる記録紙保持装置は、ロール状に巻回された記録紙を回動自在に支持すると共に、記録紙に着脱可能に固定される固定手段と、一端に取手部を有し、他端に固定手段を回動可能に支持する支持手段と、中間部に第１の係合手段とを有した取手手段と、固定手段の被ガイド部を案内して支持するガイド部と前記第１の第１の係合手段と係合する第２の係合手段を有し、挿入された前記取手手段を所定の位置において着脱可能に保持して固定する保持手段とを備えたものである。
【０００７】
また、この発明に係わる記録紙保持装置は、ロール状に巻回された記録紙の巻心の側面に嵌合挿入され、中央部に回転自在な軸受けを設けた第１のフランジと、巻心の他の側面に嵌合挿入され、中央部に回転自在な軸受けを設けた第２のフランジと、第１のフランジを固定保持する第１の固定部材と、第２のフランジを固定保持する第２の固定部材と、第１のフランジと第２のフランジとを支持し、かつ第１の固定部材と第２の固定部材とを係止させる溝部を設けた軸部と、軸部の両端に引っ係るＵ溝部と、このＵ溝部の対向側に設けられた取手部と、この取手部と前記Ｕ溝部との中間部分の一端に弾性力を有した第１の係合手段とを設けた取手手段と、軸部の両端を案内して支持する溝状のガイド部と、前記取手手段の第１の係合手段に係合し、所定の位置に取手手段を固定保持する第２の係合手段からなる保持手段とで構成したものである。
【０００８】
また、この発明に係わる記録紙保持装置の第１のフランジおよび第２のフランジの中央部に設けられた回転自在な軸受はころがり軸受であることを特徴とするものである。
【０００９】
また、この発明に係わる記録紙保持装置の第１の固定部材は、軸部に第１のフランジを固定保持する締結部材を備えたものである。
【００１０】
また、この発明に係わる記録紙保持装置の第２の固の定部材は、軸部の溝部に係止する爪部を設けた弾性を有する第１部材と、この第１部材に係合し、相対的に移動可能な楔部を有する第２部材と、この第２部材と前記第１部材とを付勢する付勢部材とで構成されたものである。
【００１１】
また、この発明に係わる記録紙保持装置の取手手段の第１の係合手段と保持手段の第２の係合手段は、いずれか一方が半球状の凸部であり、他方は半球状の凹部で構成されたものである。
【００１２】
また、この発明に係わるプリンタ装置は、請求項１乃至５のいずれかに記載の記録紙保持装置を備えたものである。
【００１３】
【発明の実施の形態】
実施の形態１．
以下、この発明の一実施の形態を図面に基づいて具体的に説明する。尚、図において従来と同一符号は従来のものと同一あるいは相当のものを表す。
図１は、この発明の実施の形態１による記録紙保持装置を用いたプリンタ装置を示す斜視図である。
図において、１はプリンタ装置本体、２は記録紙であるロール紙、３は用紙保持部材、４は取手部４ｅと、この取手部４ｅの反対側の先端部に形成された略Ｕ字形状の溝部４ａと、端部に凹または凸形状の係合部４ｂを有した可撓部４ｃとを有した取手手段であるハンドル、５はプリンタ装置本体１の上面に設けられた開口部、６は用紙保持部材３に設けられた凸部である。
尚、ハンドル４の溝部４ａの近傍には端面ガイド部４ｄが形成されている。
また、７はプリンタ装置本体１側に設けられ、用紙保持部材３の凸部６と係合するガイド部である。
【００１４】
また、図２はこの発明の実施の形態１である記録紙保持装置の用紙保持部材３とロール紙２との関係を示した正面図および両側面図、図３はこの発明の実施の形態１である記録紙保持装置のロール紙２と用紙保持部材３とハンドル４との関係を示した正面図および両側面図である。
図において、８は第１のフランジ、９は第１のフランジ８に回動自在に固定された第１のフランジ８側の凸部６を含む軸部、１０は第２のフランジ、１１は第１のフランジ８と第２のフランジ１０を固定するストッパーであり、これらの部材により用紙保持部材３が構成されている。
即ち、この用紙保持部材は、ロール状に巻回された記録紙を回動自在に支持すると共に、記録紙に着脱可能に固定される固定手段の機能を備えている。
【００１５】
図４は、ロール紙２を保持する用紙保持部材３にハンドル４を取り付ける際の動作を示す斜視図である。
図において、４ａはハンドル４の先端部に設けられた略Ｕ字形状の溝部であって、用紙保持部材３の凸部６に係合し、かつ用紙保持部材３を回動可能に支持している。
さらに、この凸部６は、ロール紙２が支持・固定されている用紙保持部材３の装着されたハンドル４をプリンタ装置本体１側に設けられた溝状のガイド部７に沿って押し込む際の被ガイド部材としての機能も有している。
また、４ｂは弾性力を有した可撓部４ｃの一端に設けられた例えば穴形状の係合部、４ｄは溝部４ａの近傍でハンドル４の端面に設けられた端面ガイド部、４ｅは溝部４ａとは反対側の端部に設けられた取手部である。
尚、係合部４ｂは、穴形状ではなく凹形状あるいは凸形状であつてもよい。
【００１６】
図５は、この発明の実施の形態１による記録紙保持装置の構造を示した側面透視図である。
図において、１２は用紙装着部に設けられた回動可能な第１のレバー、１２ｃは第１のレバー１２に設けられた用紙保持部材３の凸部６との当接部、１３は第一のレバー１２を図中時計回りに付勢する付勢部材、１４は用紙装着部に設けられたハンドル４の収納部、１５は用紙装着部に設けられたハンドル４の収納時にハンドル４の係合部４ｂと係合する係合部である。
ハンドル４の係合部４ｂが穴形状あるいは凹形状の場合には係合部１５は凸形状に、また、ハンドル４の係合部４ｂが凸形状の場合には係合部１５は凹形状にする。
尚、この構造はプリンタ装置本体１の用紙装着部の両側面に有している。
【００１７】
図６は、この発明の実施の形態１による記録紙保持装置の用紙装着状態を示す側面透視図である。
また、図７は、この発明の実施の形態１による記録紙保持装置の用紙保持部材３の第１のフランジ８と第２のフランジ１０をストッパー１１により固定している状態とロール紙２が用紙保持部材３により位置決めされている状態を示す正面断面図である。
図７において、９ａは第１のフランジ８に固定された軸部９に設けられた溝部、１６はストッパー１１を構成する部材ａ、１６ａは先端に前記軸部９の溝部９ａに係合する爪部を有した可撓部、１６ｂは可撓部１６ａに設けられた係合部、１７はストッパー１１を構成する部材ｂ、１７ａは部材ａ１６の可撓部１６ｂと係合する楔部、１８はストッパー１１内に設けられた部材ａ１６の係合部１６ｂと部材ｂ１７の楔部１７ａを離れる方向に付勢する付勢部材、１９は軸部９と第２のフランジ１０が回動自在となるように第２のフランジ１０に取付けられた軸受け（例えば、ころがり軸受け）である。
【００１８】
尚、ここでは第２のフランジ１０に取り付けられた図を示しているが、第１のフランジ８と軸部９との間にも同様の軸受けが第１のフランジ８に取り付けられており第１のフランジ８と軸部９は回動自在となっている。
また、図示はしていないが、第１のフランジ８は回動可能な状態で、例えばネジ等の締結部材により軸部９に確実に固定されているものとする。
２０は軸部９との当接部を有した回動可能な第２のレバー、２０ｂは第２のレバー２０に設けられた用紙保持部材３の凸部６に当接する当接部、２１は第２のレバーを図中反時計方向に付勢する付勢部材である。
尚、第２のレバー２０および付勢部材２１は第１のフランジ８側か第２のフランジ１０側かの片側のみに設けられる。ここでは第２のフランジ１０側に設けた場合を示している。
【００１９】
図８、図９は図７を上方から見た平面断面図であり、図において１２ａは第１のレバー１２に設けられた凸部、１２ｂはハンドル４の端面ガイド部４ｄとの当接部、２０ａは第２のレバー２０に設けられた段差部である。
次に動作について説明する。
まず、図２において、ロール紙２の巻芯５０の端部に第１のフランジ８および第２のフランジ１０を取り付け、ストッパー１１を第１のフランジ８の軸部に装着する。
その際、図７に示すようにストッパー１１内の可撓部１６ａに設けた爪部１６ｃが軸部９の溝部９ａに係合する。
そして、付勢部材１８により部材ｂ１７は図中左方向へ付勢され、軸受け１９を介して第２のフランジ１０を左方向に付勢し、芯５０は第１のフランジ８と第２のフランジ１０により押圧保持される。
【００２０】
次に、図３および図４に示すごとくロール紙２の装着されたハンドル４の溝部４ａを用紙保持部材３の凸部６に係合させ、図１に示すようにプリンタ装置本体１の上部開口部５よりロール紙２をプリンタ装置本体１に装着する。
この時、用紙保持部材３の凸部６を用紙装着部に設けられたガイド部７に係合させ、ロール紙２を所定の位置に装着する。
この動作を図５、図６、図７、図８、図９を用いて説明する。
図５において、ロール紙２が装着されたハンドル４をガイド部７に沿って降ろしてくると、ハンドル４の端面ガイド部４ｄが第１のレバー１２の当接部１２ｂと当接し、第１のレバーを図中反時計方向に回動させる。
この状態を上から見たのが図８で、第１のレバー１２が回動すると第１のレバーの凸部１２ａと第２のレバー２０の段差部が当接し、第２のレバー２０を図７において図中時計方向へ回動させる。
【００２１】
ついで、ロール紙２を所定の位置まで降ろしたところで図６に示すごとくハンドル４を図中時計方向へ倒すとハンドル４の可撓部４ｃが撓んでハンドル４はの係合部４ｂとハンドル収納部１４内に設けられた係合部１５とが係合してハンドル４はハンドル収納部１４内に収納保持される。
この時、ハンドル４の端面ガイド部４ｄは回動して第１のレバー１２との当接が解除され、第１のレバー１２は付勢部材１３により図中時計方向に回動して当接部１２ｃが用紙保持部材３の凸部６をガイド部７の側面および底面に押圧保持する。
【００２２】
さらに、第１のレバー１２が回動すると、図９に示すように第１のレバー１２の凸部１２ａが第２のレバー２０の段差部２０ａとの当接が解除され第２のレバー２０は図７に示すように付勢部材２１により図中反時計方向に回動して当接部２０ｂが用紙保持部材３の凸部６の端面を押圧してロール紙２を片側に付勢保持するものである。
この時、ロール紙２は軸受け１９により用紙保持部材３の軸９に対して回転自在に保持されるものである。
【００２３】
以上説明したように、実施の形態１による記録紙保持装置は、第１のフランジ８、第１のフランジ８に固定された第１のフランジ８側の凸部６を含む軸部９、第２のフランジ１０、第１のフランジ８と第２のフランジ１０を固定するストッパー１１等の部材により構成され、記録紙に確実に固定された用紙保持部材３によりロール状に巻回された記録紙を回転自在に支持すると共に、ハンドル４の係合部４ｄとプリンタ装置本体１側の係合部１５により記録紙の装着されたハンドル４を所定の位置に着脱可能に固定している。
即ち、用紙保持部材３は、ロール状に巻回された記録紙を回動自在に支持すると共に、記録紙に着脱可能に固定される固定手段の機能を有している。
また、取手手段であるハンドル４は、一端に取手部４ｄを有し、他端に上述の固定手段である用紙保持部材３を回動可能に支持する支持手段（即ち、溝部４ａ）と、プリンタ装置本体１側で着脱可能に係合するための係合部４ｂおよび可撓部４ｃからなる係合手段を有している。
さらに、用紙保持部材３の被ガイド部である凸部６を案内して支持するガイド部７を有すると共に、挿入された取手手段を所定の位置に着脱可能に保持して固定する係合部１５、第１のレバー１２あるいは第２のレバー２０等で構成された保持手段とを備えている。
【００２４】
従って、本実施の形態１によれば、ロール紙の交換が容易で速やかに行えると共に、ロール紙をプリンタに装着した際にロール紙の位置を常に一定の位置に位置決めできる。
また、ロール紙より用紙を引き出す際の摩擦負荷が小さくなり、用紙に過度の張力が生じるのを防ぐことができる。
あるいは、第１のフランジおよび第２のフランジがロール紙の巻芯より容易に抜けてしまうことを防ぐことができる。
【００２５】
【発明の効果】
以上のように、この発明による記録紙保持装置は、ロール状に巻回された記録紙を回動自在に支持すると共に、記録紙に着脱可能に固定される固定手段と、一端に取手部を有し、他端に固定手段を回動可能に支持する支持手段と、中間部に第１の係合手段とを有した取手手段と、固定手段の被ガイド部を案内して支持するガイド部と、第１の係合手段と係合する第２の係合手段を有し、挿入された前記取手手段を所定の位置において着脱可能に保持して固定する保持手段とを備えたので、ロール紙の交換が容易で速やかに行えると共に、ロール紙をプリンタに装着した際にロール紙の位置を常に一定の位置に位置決めできる。
また、ロール紙より用紙を引き出す際の摩擦負荷が小さくなり、用紙に過度の張力が生じるのを防ぐことができる。
あるいは、ロール紙の装着時に、ロール紙が取手手段から容易に抜けてしまうことを防ぐことができるという効果がある。
【００２６】
また、この発明による記録紙保持装置は、ロール状に巻回された記録紙の巻心の側面に嵌合挿入され、中央部に回転自在な軸受けを設けた第１のフランジと、巻心の他の側面に嵌合挿入され、中央部に回転自在な軸受けを設けた第２のフランジと、第１のフランジを固定保持する第１の固定部材と、第２のフランジを固定保持する第２の固定部材と、第１のフランジと第２のフランジとを支持し、かつ第１の固定部材と第２の固定部材とを係止させる溝部を設けた軸部と、軸部の両端に引っ係るＵ溝部と、このＵ溝部の対向側に設けられた取手部と、この取手部と前記Ｕ溝部との中間部分の一端に弾性力を有した第１の係合手段とを設けた取手手段と、軸部の両端を案内して支持する溝状のガイド部と、前記取手手段の第１の係合手段に係合し、所定の位置に取手手段を固定保持する第２の係合手段からなる保持手段とで構成したので、記録紙を装着した取手手段をガイド部に沿ってプリンタ装置内に押し込むだけの簡単な動作で記録紙を装着した取手手段を常に所定の位置に精度よく位置決めし、かつ着脱可能な状態で確実に固定できると共に、記録紙の交換も容易で速やかに行えるという効果がある。
【００２７】
また、この発明による記録紙保持装置の第１のフランジおよび第２のフランジの中央部に設けられた回転自在な軸受はころがり軸受としたので、ロール紙より用紙を引き出す際の摩擦負荷が非常に小さくなり、用紙に過度の張力が生じるのを防ぐことができるという効果がある。
【００２８】
また、この発明による記録紙保持装置の第１の固定部材は、軸部に第１のフランジを固定保持する締結部材を備えたので、第１のフランジを確実に軸部に固定でき、記録紙を装着した取手手段をプリンタ装置本体に装着する際に、第１のフランジが脱落することを防止できるという効果がある。
【００２９】
また、この発明に係わる記録紙保持装置の第２の固定部材は、軸部の溝部に係止する爪部を設けた弾性を有する第１部材と、この第１部材に係合し、相対的に移動可能な楔部を有する第２部材と、この第２部材と前記第１部材とを付勢する付勢部材とで構成したので、着脱可能な状態で第２のフランジを確実に軸部に固定でき、記録紙を装着した取手手段をプリンタ装置本体に装着する際に、第２のフランジが脱落することを防止できるという効果がある。
【００３０】
また、この発明による記録紙保持装置の取手手段の第１の係合手段と保持手段の第２の係合手段は、いずれか一方が半球状の凸部であり、他方は半球状の凹部で構成したので、簡単な構造でありながら記録紙の装着された取手手段を着脱可能な状態でプリンタ装置本体側の所定の位置に保持・固定することができるという効果がある。
【００３１】
また、この発明によるプリンタ装置は、請求項１乃至５のいずれかに記載の記録紙保持装置を備えているので、ロール紙の交換が容易で速やかに行えると共に、ロール紙をプリンタに装着した際、ロール紙の位置を常に一定の位置に位置決めできるという効果がある。
あるいは、ロール紙より用紙を引き出す際に摩擦負荷が小さくなるので用紙に過度の張力が生じるのを防ぐことのできるプリンタ装置を実現できるという効果がある。
あるいは、第１のフランジおよび第２のフランジがロール紙の巻芯より容易に抜けてしまうことを防ぐことのできるプリンタ装置を実現できるという効果がある。
【図面の簡単な説明】
【図１】  実施の形態１による記録紙保持装置を用いたプリンタ装置を示す斜視図である。
【図２】  実施の形態１による記録紙保持装置の用紙保持部材とロール紙との関係を示した正面図および両側面図である。
【図３】  実施の形態１による記録紙保持装置のロール紙と用紙保持部材とハンドルとの関係を示した正面図および両側面図である。
【図４】  実施の形態１による記録紙保持装置のロール紙を保持する用紙保持部材にハンドルを取り付ける際の動作を示す斜視図である。
【図５】  実施の形態１による記録紙保持装置の構造を示した側面透視図である。
【図６】  実施の形態１による記録紙保持装置の用紙装着状態を示す側面透視図である。
【図７】  実施の形態１による記録紙保持装置の用紙保持部材の第１および第２のフランジをストッパーにより固定している状態とロール紙が用紙保持部材により位置決めされている状態を示す正面断面図である。
【図８】  実施の形態１による記録紙保持装置においてロール紙が用紙収納部に位置決めされる過程を示す平面断面図である。
【図９】  実施の形態１による記録紙保持装置においてロール紙が用紙収納部に位置決めされた状態を示す平面断面図である。
【図１０】  従来のロール紙を用いたプリンタ装置のロール紙の保持構造を示す斜視図である。
【図１１】  従来の用紙保持部材をロール紙に装着した状態を示す斜視図である。
【図１２】  従来のロール紙を用いたプリンタ装置の概略構成を示す斜視図である。
【符号の説明】
１  プリンタ装置本体      ２  ロール紙          ３  用紙保持部材
４  ハンドル              ４ａ  溝部            ４ｂ  係合部
４ｃ  可撓部              ４ｄ  端面ガイド部    ４ｅ  取手部
５  開口部                ６  凸部（被ガイド部）
７  ガイド部              ８  第１のフランジ    ９  軸部
１０  第２のフランジ      １１  ストッパー      １２  第１のレバー
１３  付勢部材            １４  収納部          １５  係合部
１６  部材ａ              １６ａ  可撓部        １６ｂ  係合部
１６ｃ  爪部              １７  部材ｂ          １８  付勢部材
１９  軸受け              ２０  第２のレバー    ２１  付勢部材
５０  巻芯
【図１】
0003724124.tif 000002
【図２】
0003724124.tif 000003
【図３】
0003724124.tif 000004
【図４】
0003724124.tif 000005
【図５】
0003724124.tif 000006
【図６】
0003724124.tif 000007
【図７】
0003724124.tif 000008
【図８】
0003724124.tif 000009
【図９】
0003724124.tif 000010
【図１０】
0003724124.tif 000011
【図１１】
0003724124.tif 000012
【図１２】
0003724124.tif 000013